(57)【要約】【課題】病院等のベッド上でテーブルを使用する際には、使用者が1日の殆どをベッドの上において生活をしている為、なるべく他者に依頼する頻度を少なくしたいとの、心理的負担があるので、なるべく多くの必需品が、手の届く所にあってほしいとの思いがある。また、看護・介護する側においても、人手不足の折から供給の頻度の軽減が求められていた。【解決手段】長方形のカウンターテーブルと、センターで折りたたむことのできる円形テーブルの組み合わせによって構成するもので、円形テーブルが手によって回転させることができ、カウンターテーブルからはみ出した部分に載せられた物品を無理な姿勢をとることなく、手元に引き寄せることができ、テーブル上により多くの物を載せることができることによって、上記課題を解決したものである。【選択図】図１
2010279459.tif 000002
【特許請求の範囲】
【請求項１】
長方形の長手方向の1辺の中央近傍を中心とする半円形の削除部分を有するテーブル板と、前記半円形の削除部分に合致し、前記中心周りに回転可能に取り付けられた前記中心を通る線で2分割されて折りたたみできる円形の板と、前記テーブル板を保持し、かつ前記円形の板の回転機構部を保持するキャスターの付いた上下に伸縮する支柱から構成されるベッドサイドテーブル。
【請求項２】
請求項1に記載したベッドサイドテーブルにおいて、前記テーブル板の長手方向の軸を水平に保ったままテーブル板及び円形の板を約９０度回転させてほぼ垂直状態にできるベッドサイドテーブル。
【発明の詳細な説明】
【技術分野】
【０００１】
本発明は病院等で使用するベッドサイドテーブルに関するものである。
【背景技術】
【０００２】
病院等で使用するベッドサイドテーブルは、環境上設置サイズに限界があり、テーブル上に置くものが限られている。
また、テーブルサイズを大きくすると手の届かない範囲が広くなり使用者に無理な姿勢を強いることになる。したがって、サイズの拡張には限界がある。
またテーブル面積が広くなると移動・収納に不便であり、また、病室内の通路が狭くなる問題もある。
【０００３】
ベッドサイドテーブルの上下操作構造やテーブル板の折りたたみ構造に関しては、特許文献１、２等が開示されている。
【先行技術文献】
【特許文献】
【０００４】
【特許文献１】特開2002−219020号公報
【特許文献２】特開2002−58539号公報
【発明の概要】
【発明が解決しようとする課題】
【０００５】
病院等のベッド上でテーブルを使用する際には、無理な姿勢を強いない範囲での、テーブル面積に制約されるため、むやみに拡張することができない。しかしながら使用者にとっては、1日のほとんどをベッド上において生活をしている為、なるべく多くの必需品が手の届くところにあってほしいとの思いがある。
本発明はこれを解決する為、テーブルを拡張し、尚且つ、遠くの物を無理なく取ることができるテーブルを提供することにある。
【課題を解決するための手段】
【０００６】
長方形のカウンターテーブルと、半円に折りたたむことのできる円形テーブルの組み合わせによって構成するもので、カウンターテーブルの長辺のほぼ中央が円形テーブルの中心となり、テーブルを手によって回転させることによって、カウンターテーブルからはみ出た部分の物品を無理なく取れるようにすることにより、上記課題を解決したものである。
【発明の効果】
【０００７】
回転円形テーブルを設けることによって、テーブル上の利用可能なスペースが広がり、他人の手を煩わせることなく物品をとることができる。
【０００８】
テーブルに回転機能があるため、テーブル上の物は、いつでも簡単にとれるという安心感があり、使用する者にとっては、精神的効果はおおきいものがある。
【０００９】
円形テーブルが、センターで180度折りたたむことができ、広いスペースが不要なときは円形テーブルをたたんだまま使用することも可能であり、収納・移動が楽にできる。
【００１０】
本テーブルを使用しない時や、別の場所に移動するときには、テーブル面の取り付け軸を90度回転させ、さらにコンパクトにたたむことができ、狭い通路での移動が楽にできる。
【００１１】
カウンターテーブル・円形テーブル上に抜き穴を設けてあり、紙コップ等を挿入できるようになっているため、ちょっとした不用意な接触でもコップ等が転倒することがない。
【００１２】
円形テーブルの位置決めには、ボールプランジャーが使用されており、停止、回動とも容易に行うことができる。
【図面の簡単な説明】
【００１３】
【図１】本発明によるテーブルの外観図である。
【図２】図1に示したテーブルを折りたたんで後ろから見た外観図である。
【図３】本発明によるテーブルを収納状態にしたときの外観図である。
【図４】テーブル板をはずした状態の外観図である。
【図５】カウンターテーブルの平面図である。
【図６】カウンターテーブルの右側面図である。
【図７】円形テーブルの回転軸付き側半円部の平面図である。
【図８】円形テーブルの回転軸無し側半円部の平面図である。
【図９】円形テーブルの平面図である。
【図１０】円形テーブルの右側面図である。
【図１１】円形テーブルの下面図である。
【図１２】円形テーブルの回転軸部の斜視図である。
【図１３】円形テーブルの回転軸部の断面図である。
【図１４】梁と、支柱の結合部の断面図である。
【図１５】図14の右側面図である。
【図１６】スライド部とガススプリングの取付け部を表した正面図である。
【図１７】図16の右側面図である。
【図１８】図1に示したベッドサイドテーブルの使用状態例を示した斜視図である。
【発明を実施するための形態】
【００１４】
本発明の、図1で示す回転ベッドサイドテーブルは、図5に示した半円の切欠きが付いた、長方形のカウンターテーブル1と、中心で折りたためる図9に示した円形テーブルとが配置されており、４個のキャスター１９の付いたベースフレーム１８と、上下にスライドする可動支柱6と、それを保持する固定支柱１４と、テーブルを取り付ける梁４と、から構成されており、カウンターテーブル1と半円２と３の2枚からなる円形テーブルは分離されており、円形テーブルは指先で回転できる。
【００１５】
図４に示すカウンターテーブル１は、可動支柱６に取り付けられた梁４の２個の固定金具5に取り付けられる。円形テーブルは、図７に示す半円テーブル２と、半円テーブル２に取り付けたフランジ９と回転軸９ａと、図10に示すフランジ9に固定されておらず半円テーブル２と２個の蝶番11によってのみ連結されている半円テーブル３から構成される。半円テーブル３は、図１３に示すように２個の支点を有する２軸蝶番１１で、半円テーブル面２に平行に折りたたむことができる。また図２で示すように、折りたたんだ状態のままで使用することも可能である。半円テーブル２に取り付けられた回転軸９ａは軸受け８で保持され、ナット９ｂで固定される。
【００１６】
また、通常の使用状態に於いてカウンターテーブル１と円形テーブル２、３は水平であり、これらテーブル間の段差をなくしてあり、紙コップ等の転倒を防ぐ為の受け孔１ａ及び２ａが設けてあり、その用途は孔に嵌る物であれば物品を選ばない。例えばボール等の球状なものを置いても良い。
【００１７】
円形テーブルを支持する図１２に示したフランジ9には、位置決めのための複数のステーション穴９ｄを設けてあり、図１３に示したボールプランジャー１０がステーション穴９ｄに嵌ることにより位置決めしており、使用者が予期しない回転を防止する。
【００１８】
図１４のテーブル取付けの梁４と支柱６の取り付けは、梁４の取り付け先端にフランジ形位置決め板２０とネジ付きシャフト２０ｂを備え、支柱６に設けられた孔６ａにネジ付きシャフトが組み込こまれ、ナット２２にて固定される。テーブル面は、図1で示す使用時の水平状態と、図３に示すように垂直状態の２種類の形態があり、それぞれの固定は位置決め板２０に開けられた穴２０ａに、インデックスプランジャー２３の先端部のピン２３ａが差し込まれることにより位置が決まる。
図１５に示す位置決め孔２０ａは、インデックスプランジャー２３の中心位置にも開けてあり、この位置にピンが差し込まれて水平状態で固定された状態を示している。
【００１９】
さらに、収納するときはナット２２を緩めプランジャーピン２３ａを抜き、テーブルを９０度左回転することによって、使用されていない方の位置決め孔２０ａが９０度回転し図3で示す垂直状態でプランジャーピン２３ａが嵌って固定され、それぞれのポジションでは、プランジャーがリターン式なためプランジャーピン２３ａは通常出たままであり、梁固定ナット２２を弛めただけではテーブルが回転することはない。
【００２０】
テーブルを支える支柱は、図１６の可動支柱６と、固定支柱１４からなり、支柱内部には可動部全体の重量を支える為の、ガススプリング１２が組み込んである。可動部は孔６ｂにボルト１３を通して固定し、固定部は固定支柱１４の下部に設けた孔１７にボルト１３ａを通して固定されており、常時、可動部にかかる重量を支えている。
使用状況に合わせ任意の高さで固定ノブ２４で固定する。
【符号の説明】
【００２１】
1、カウンターテーブル
1a、抜き穴
2、軸付き半円テーブル
2a、抜き穴
3、軸無し半円テーブル
4、カウンターテーブル受け用の梁
5、固定金具
6、可動支柱
6a、梁取り付け孔
6b、可動部ガススプリグ取付け孔
7、回転軸受けアーム
8、軸受け
9、フランジ
9a、回転軸
9b、軸用ナット
9c、ねじ穴
9d、ステーション穴
10、ボールプランジャー
11、2軸蝶番
12、ガススプリング
13、ガススプリング上部国定ボルト
13a、ガススプリング下部固定ボルト
14、固定支柱
15、固定用スライドガイド
16、可動用スライドガイド
17、固定部ガススプリング取付孔
18、ベースフレーム
19、キャスター
20、位置決め板
20a、位置決め孔
20b、固定軸
21、プランジャー取付け板
21a、プランジャー取付けタップ
22、梁固定ナット
23、インデックスプランジャー
23a、プランジャーピン
24、固定ノブ
【図１】
2010279459.tif 000003
【図２】
2010279459.tif 000004
【図３】
2010279459.tif 000005
【図４】
2010279459.tif 000006
【図５】
2010279459.tif 000007
【図６】
2010279459.tif 000008
【図７】
2010279459.tif 000009
【図８】
2010279459.tif 000010
【図９】
2010279459.tif 000011
【図１０】
2010279459.tif 000012
【図１１】
2010279459.tif 000013
【図１２】
2010279459.tif 000014
【図１３】
2010279459.tif 000015
【図１４】
2010279459.tif 000016
【図１５】
2010279459.tif 000017
【図１６】
2010279459.tif 000018
【図１７】
2010279459.tif 000019
【図１８】
2010279459.tif 000020